(57)【要約】    【構成】  ＩＰ電話機１０を用いてＩＰ電話機６０もしくは一般加入電話機７０に電話をかける場合に、通話先がＩＰ電話機６０であれば番号変換サーバ８０から通話先のＩＰアドレスが送信される。ＩＰ電話機１０では番号変換サーバ８０から送信されるＩＰアドレスを基に、通話先がＩＰ電話機であることを識別し、ＩＰ電話機１０のメモリ２０上に構成された電話帳２０ａに通話先がＩＰ電話機である旨を示すマーカを記録する。次回以降にＩＰ電話機６０に電話をかけるときには、電話帳に表示されるマーカを参照することによって通話先がＩＰ電話機であるか否かを事前に知ることができる。    【効果】  電話をかける前に用件だけを手短に話すとか長電話をするとかといった事前の心構えができる。【選択図】  図１
2005073181.tif 000002
【特許請求の範囲】
【請求項１】
通信を行うときに相手方の電話機がＩＰ電話機であるか否かを識別する識別機能を有するＩＰ電話機において、
電話番号を含む電話管理情報をメモリに登録する登録手段、および
前記識別機能による識別結果が肯定的であるとき前記メモリに登録された電話管理情報のうち前記相手方の電話管理情報にマーカを追加する追加手段を備えることを特徴とする、ＩＰ電話機。
【請求項２】
特定操作に応答して前記電話管理情報を出力する出力手段をさらに備える、請求項１記載のＩＰ電話機。
【請求項３】
ダイヤルされた電話番号に対応するＩＰアドレスの送信を特定サーバに要求する要求手段、
前記要求手段の要求に対して前記特定サーバから前記ＩＰアドレスが返送されたとき前記ＩＰアドレスに従って発呼処理を行う第１発呼手段、および
前記要求手段の要求に対して前記特定サーバから特定信号が返送されたとき前記入力電話番号に従って発呼処理を行う第２発呼手段をさらに備える、請求項１または２記載のＩＰ電話機。
【請求項４】
前記登録手段は電話番号を形成する複数の数字の選択操作によって前記相手方がダイヤルされたとき前記電話番号情報の登録処理を実行する、請求項１ないし３のいずれかに記載のＩＰ電話機。
【請求項５】
前記登録手段は通話終了後の所定操作に応答して前記登録処理を行う、請求項４記載のＩＰ電話機。
【請求項６】
通信の相手方の電話機がＩＰ電話機であるか否かを示す情報を管理する管理方法であって、
通信を行うときに相手方の電話機がＩＰ電話機であるか否かを識別し、
電話番号を含む電話管理情報をメモリに登録し、そして
前記識別の結果が肯定的であるとき前記メモリに登録された電話管理情報のうち前記相手方の電話管理情報にマーカを追加する、管理方法。
【請求項７】
ＩＰ電話機に搭載されたＣＰＵによって実行されるプログラムであって、
通信を行うときに相手方の電話機がＩＰ電話機であるか否かを識別する識別ステップ、
電話番号を含む電話管理情報をメモリに登録する登録ステップ、および
前記識別ステップにおける識別結果が肯定的であるとき前記メモリに登録された電話管理情報のうち前記相手方の電話管理情報にマーカを追加する追加ステップを備える、プログラム。
【発明の詳細な説明】
【技術分野】
【０００１】
この発明は、ＩＰ(Internet Protocol)電話機に関し、特にたとえば、通話の相手方がＩＰ電話機であるか否かを識別する識別機能を有する、ＩＰ電話機に関する。
【背景技術】
【０００２】
従来のこの種のＩＰ電話機の一例が、非特許文献１に開示されている。
【０００３】
非特許文献１のＩＰ電話機では、ＩＰ電話機からＩＰ電話機以外の一般加入電話機などに発信したときには呼び出し音の前に“プププ”という接続音を鳴らし、ＩＰ電話機からＩＰ電話機に発信したときには呼び出し音の前に“プププ、プププ”という接続音を鳴らす。このように従来の技術では接続音の違いによって接続先の電話機の種類を区別している。
【非特許文献１】ＢＢフォンご利用ガイド１６ページ(発行元  ソフトバンクＢＢ株式会社  ２００３年３月２５日発行)
【発明の開示】
【発明が解決しようとする課題】
【０００４】
非特許文献１の従来技術では、実際に通話先と接続しなければ通話先がＩＰ電話機であるかどうかを判別できない。そのため、通話者は通話料金を考慮して手短に用件を話す、あるいは長電話をするなどの心構えが事前にできないという問題がある。
【０００５】
それゆえに、この発明の主たる目的は、通話に対する心構えが事前にできる、ＩＰ電話機を提供することである。
【課題を解決するための手段】
【０００６】
請求項１の発明は、通信を行うときに相手方の電話機がＩＰ電話機であるか否かを識別する識別機能を有するＩＰ電話機において、電話番号を含む電話管理情報をメモリに登録する登録手段、および識別機能による識別結果が肯定的であるときメモリに登録された電話管理情報のうち相手方の電話管理情報にマーカを追加する追加手段を備えることを特徴とする、ＩＰ電話機である。
【０００７】
請求項１の発明では、通信を行うときに相手方の電話機がＩＰ電話機であるか否かを識別し、相手方の電話番号や名称などを含む電話管理情報をメモリ上に構成された電話帳に登録する。そして、相手方がＩＰ電話機であるときには電話帳(メモリ)に登録された相手方の電話管理情報に相手方がＩＰ電話機であることを示すマーカを追加する。したがって、請求項１の発明によれば、次回以降に相手方に電話をかけるときには、電話帳におけるマーカの有無によって相手方の電話機がＩＰ電話機であるか否かが通信の前に知れるので通話料金を考慮して手短に用件を話す、あるいは長電話をするなどの心構えが事前にできる。
【０００８】
請求項２の発明は、特定操作に応答して電話管理情報を出力する出力手段をさらに備える、請求項１記載のＩＰ電話機である。
請求項２の発明では、所定のボタンを押すなどの特定操作を行うと電話帳(電話管理情報)がＩＰ電話機のディスプレイに表示される。したがって、請求項２の発明によれば、特定操作を行うことによって電話帳(電話管理情報)を参照し、通信を希望する相手方がＩＰ電話機であるか否かをいつでも知ることができる。
【０００９】
請求項３の発明は、ダイヤルされた電話番号に対応するＩＰアドレスの送信を特定サーバに要求する要求手段、要求手段の要求に対して特定サーバからＩＰアドレスが返送されたときＩＰアドレスに従って発呼処理を行う第１発呼手段、および要求手段の要求に対して特定サーバから特定信号が返送されたとき入力電話番号に従って発呼処理を行う第２発呼手段をさらに備える、請求項１または２記載のＩＰ電話機である。
【００１０】
請求項３の発明では、ダイヤルされた電話番号を特定サーバに送信して電話番号に対応するＩＰアドレスの送信を要求する。特定サーバは電話番号に対応する電話機がＩＰ電話機であるときには電話番号に対応するＩＰアドレスを返送し、電話番号に対応する電話機がＩＰ電話機でないときには特定信号を返送する。特定サーバからＩＰアドレスが返送されたときには返送されたＩＰアドレスに従って発呼処理を行い、特定信号が返送されたときには入力電話番号に従って発呼処理を行う。したがって、請求項３の発明では、特定サーバからＩＰアドレスが返送されるか特定信号が返送されるかによって、ダイヤル先の電話機がＩＰ電話機であるか否かが判断できるとともに、ＩＰ電話機およびＩＰ電話機以外の電話機に対する発呼処理が行える。
【００１１】
請求項４の発明は、登録手段は電話番号を形成する複数の数字の選択操作によって相手方がダイヤルされたとき電話番号情報の登録処理を実行する、請求項１ないし３のいずれかに記載のＩＰ電話機である。
【００１２】
請求項４の発明では、通信先の電話番号がテンキーの操作によって行われた場合(この場合に通信先の電話番号情報が電話帳に登録されていない可能性が大きい)、通信先の電話番号情報の登録処理を行う。したがって、請求項４の発明によれば、電話番号情報の電話帳への登録忘れが防止される。
【００１３】
請求項５の発明は、登録手段は通話終了後の所定操作に応答して登録処理を行う、請求項４記載のＩＰ電話機である。
【００１４】
請求項５の発明では、通話が終了してから通信先の電話番号情報の電話帳への登録を行う。したがって、請求項５の発明によれば、電話番号情報の電話帳への登録作業(通信先の名称の入力など)が通話の妨げにならないし、登録作業忘れを防止することができる。
【００１５】
請求項６の発明は、通信の相手方の電話機がＩＰ電話機であるか否かを示す情報を管理する管理方法であって、通信を行うときに相手方の電話機がＩＰ電話機であるか否かを識別し、電話番号を含む電話管理情報をメモリに登録し、そして識別の結果が肯定的であるときメモリに登録された電話管理情報のうち相手方の電話管理情報にマーカを追加する、管理方法である。
【００１６】
請求項６の発明では、通信を行うときに相手方の電話機がＩＰ電話機であるか否かを識別し、相手方の電話番号や名称などを含む電話管理情報をメモリ上に構成された電話帳に登録する。そして、相手方がＩＰ電話機であるときには電話帳(メモリ)に登録された相手方の電話管理情報に相手方がＩＰ電話機であることを示すマーカを追加する。したがって、請求項６の発明によれば、次回以降に相手方に電話をかけるときには、電話帳におけるマーカの有無によって相手方の電話機がＩＰ電話機であるか否かが通信の前に知れるので通話料金を考慮して手短に用件を話す、あるいは長電話をするなどの心構えが事前にできる。
【００１７】
請求項７の発明は、ＩＰ電話機に搭載されたＣＰＵによって実行されるプログラムであって、通信を行うときに相手方の電話機がＩＰ電話機であるか否かを識別する識別ステップ、電話番号を含む電話管理情報をメモリに登録する登録ステップ、および識別ステップにおける識別結果が肯定的であるときメモリに登録された電話管理情報のうち相手方の電話管理情報にマーカを追加する追加ステップを備える、プログラムである。
【００１８】
請求項７の発明では、通信を行うときに相手方の電話機がＩＰ電話機であるか否かを識別し、相手方の電話番号や名称などを含む電話管理情報をメモリ上に構成された電話帳に登録する。そして、相手方がＩＰ電話機であるときには電話帳(メモリ)に登録された相手方の電話管理情報に相手方がＩＰ電話機であることを示すマーカを追加する。したがって、請求項７の発明によれば、次回以降に相手方に電話をかけるときには、電話帳におけるマーカの有無によって相手方の電話機がＩＰ電話機であるか否かが通信の前に知れるので通話料金を考慮して手短に用件を話す、あるいは長電話をするなどの心構えが事前にできる。
【発明の効果】
【００１９】
この発明によれば、電話をかける前に通話先がＩＰ電話機であるか否かを知ることができるので、電話をかけるのに先立って、手短に用件だけを話すか長電話をするかという心構えができる。
【００２０】
この発明の上述の目的，その他の目的，特徴および利点は、図面を参照して行う以下の実施例の詳細な説明から一層明らかとなろう。
【発明を実施するための最良の形態】
【００２１】
図１に示すこの発明の一実施例であるＩＰ電話機１０はインターネット網(専用ＩＰ網を含む)１１０に接続される。インターネット網１１０にはＩＰ電話機１０の他にＩＰ電話機６０、番号変換サーバ８０および呼制御サーバ１００が接続される。また、インターネット網１１０にはゲートウェイ９０を介して一般加入電話回線網１２０が接続される。そして、一般加入電話回線網１２０には一般加入電話機７０が接続される。
【００２２】
ＩＰ電話機１０は、具体的には、図２に示すように構成されている。図２からわかるように、ＩＰ電話機１０はＣＰＵ１２を含んでいる。ＣＰＵ１２には、ＤＳＰ１４、ディスプレイ１６、キーパッド１８、フラッシュメモリ２０、ＲＡＭ２２、およびネットワークコントローラ２４が接続される。ＤＳＰ１４は、Ｄ／Ａ変換器２８を介して、受話器３６に設けられたスピーカ３０と接続され、また、Ａ／Ｄ変換器３２を介して、同じく受話器３６に設けられたマイク３４と接続される。
【００２３】
ネットワークコントローラ２４は通信コネクタ２６に接続されており、通信コネクタ２６は所定のケーブルによってインターネット網１１０と接続される。したがって、ＣＰＵ１２は、ネットワークコントローラ２４および通信コネクタ２６を介してインターネット網１１０へのデータの送信および受信が可能である。
【００２４】
ＩＰ電話機１０の外観は、図３に示すように形成されている。図３からわかるように、キーパッド１８には、テンキー１８ａ、“電話帳２０ａ”と記述されたボタン１８ｂ、十字キー１８ｃ、そして“決定”と記述されたボタン１８ｄが設けられている。
【００２５】
番号変換サーバ８０は、通信先がＩＰ電話機である場合に通信先の電話番号をＩＰアドレスに変換するためのサーバであり、具体的には、図４に示すように構成されている。図４からわかるように、番号変換サーバ８０はＣＰＵ４０を含んでいる。ＣＰＵ４０は、バス(bus)５０を介して、ＲＡＭ４２、ネットワークコントローラ４４、およびＨＤＤ４６と接続される。また、ハードディスクＨＤＤ４６にはデータベース４８が構成されている。このデータベース４８には電話番号とＩＰアドレスとが対になって記録されており、電話番号をＩＰアドレスに変換するために使用される。
【００２６】
ＩＰ電話機１０から所望の電話機に電話をかけるときには、ＩＰ電話機１０は番号変換サーバ８０に所望の電話機の電話番号を送信して所望の電話機がＩＰ電話機であるか否かを問い合わせる。所望の電話機がＩＰ電話機６０であるときには、番号変換サーバ６０はデータベース４８を参照して電話番号をＩＰアドレスに変換し、このＩＰアドレスをＩＰ電話機１０に送信する。一方、所望の電話機が一般加入電話機７０であるときには、番号変換サーバ８０は問い合わせた番号が一般加入電話機７０の番号であることを示す識別信号をＩＰ電話機１０に送信する。
【００２７】
ＩＰ電話機１０がＩＰアドレスを受信すると、ＩＰ電話機１０は呼制御サーバ１００にＩＰ電話機６０のＩＰアドレスを送信してＩＰ電話機６０との接続をリクエストする。リクエストを受けた呼制御サーバ１００はＩＰ電話機６０を呼び出す。ＩＰ電話機６０が呼び出しに応じると(受話器を取ってオフフック状態になると)、ＩＰ電話機１０とＩＰ電話機６０とが接続される。
【００２８】
一方、ＩＰ電話機１０が識別信号を受信すると、ＩＰ電話機１０は呼制御サーバ１００に一般加入電話機７０の電話番号を送信して一般加入電話機７０との接続をリクエストする。リクエストを受けた呼制御サーバ１００はゲートウェイ９０越しに一般電加入話機７０を呼び出す。一般加入電話機７０が呼び出しに応じると(受話器を取ってオフフック状態になると)、ゲートウェイ９０を介してＩＰ電話機１０と一般加入電話機７０とが接続される。
【００２９】
この実施例のＩＰ電話機１０では、ＩＰ電話機に電話をかけるときに番号変換サーバ８０から返信されるＩＰアドレスを基に、通話先がＩＰ電話機であることを認識し、通話先の電話機がＩＰ電話機である旨をフラッシュメモリ２０に形成された電話帳２０ａに記録する。このことによって、電話帳２０ａを開くと、ＩＰ電話機である通話先の項目には通話先の名称および番号とともにＩＰ電話機である旨を示すマーカ１６ｂ(図３)が表示される。したがって、次回、電話をかけるときには電話帳２０ａに表示されるＩＰ電話機である旨を示すマーカ１６ｂの表示によって通話先がＩＰ電話機であるか一般加入電話機であるかがわかり、電話をかける前に通話に対する心構えができる。
【００３０】
通話元がＩＰ電話機である場合、通話先もＩＰ電話機であれば通話料が無料，格安または話し放題となるが、通話先がＩＰ電話機以外の一般加入電話機などであれば通話料が課金される。従来のＩＰ電話機では通話先がＩＰ電話機であるか否かを事前に知ることができなかった。しかし、この実施例のＩＰ電話機１０によれば通話先がＩＰ電話機であるか否かを事前に知ることができる。したがって、ＩＰ電話機１０のユーザは、通話先がＩＰ電話機であれば長電話をしてもよいと思ったり、通話先がＩＰ電話機以外の一般加入電話機などであれば事前に話す内容をまとめて手短に話そうと思ったりするなど、前もって心構えができる。
【００３１】
以下に、図６および図７に示すフロー図を用いて、ＩＰ電話機１０が備えるＣＰＵ１２の動作について説明する。なお、ＣＰＵ１２はフラッシュメモリ２０に記録されているプログラムにしたがって動作する。
【００３２】
ユーザがボタン１８ｂ(図３)を押すと、図６のステップＳ１において電話帳２０ａの表示が要求されたと判断し、ステップＳ３において図３に示すような電話帳２０ａをディスプレイ１６に表示する。ユーザはディスプレイ１６に表示された電話帳２０ａを参照しながら十字キー１８ｃを上下方向に操作してカーソル(反転表示)１６ａを移動し、通話先を選択する。この選択がステップＳ５において受け付けられる。ステップＳ７では、フラグ１をオフ状態に設定する。フラグ１は通話先の電話番号が手動(テンキー１８ａを用いて)で入力されたかどうかを判断するためのフラグである。したがって、ステップＳ７ではフラグ１をオフ状態に設定する。
【００３３】
そして、ユーザが受話器３６を持ち上げると、ステップＳ９において、オフフックになったと判断する。ステップＳ１１ではフラグ２をオフ状態に設定(初期化)する。フラグ２は通話先がＩＰ電話機であったかどうかを記録するためのフラグであり、通話先がＩＰ電話機であった場合にオン状態に設定される。
【００３４】
ステップＳ１３では番号変換サーバ８０に接続し、ステップＳ１５において、通話先がＩＰ電話機であるか一般加入電話機であるかを判別するために、通話先の電話番号を番号変換サーバ８０に送信する。
【００３５】
ところで、通話先の電話番号が電話帳２０ａに登録されていない場合などには、ユーザはテンキー１８ａを用いて直接的に電話番号を入力する。テンキー１８ａが操作されると、ステップＳ２５において電話番号の入力であると判断し、ステップＳ２７で電話番号の入力を受け付ける。ステップＳ２９では後の処理のために、入力された電話番号をＲＡＭ２２に記憶する。そして、手動で電話番号が入力された旨を示すために、ステップＳ３１でフラグ１をオン状態に設定する。
【００３６】
ユーザが受話器３６を持ち上げると、ステップＳ９において、オンフックになったと判断し、ステップＳ２においてフラグ２をオフ状態に設定(初期化)する。ステップＳ１３では番号変換サーバ８０に接続し、ステップＳ１５において、入力された電話番号を番号変換サーバ８０に送信する。
【００３７】
ＩＰ電話機１０から通話先の電話番号が番号変換サーバ８０に送信されると、通話先がＩＰ電話機であるときには通話先のＩＰ電話機のＩＰアドレスが返信され、通話先がＩＰ電話機以外の一般加入電話機などであるときには通話先が一般加入電話機であることを示す識別信号が返信される。
【００３８】
ＩＰアドレスが返信されるとステップＳ１７でＹＥＳと判断し、ステップＳ１９において通話先がＩＰ電話機である旨を示すためフラグ２をオン状態に設定する。そして、ステップＳ２１では番号変換サーバ８０との接続を解除する。ステップＳ２３では番号変換サーバ８０から返信されたＩＰアドレスを基に通話先を呼び出す。このとき、ＩＰ電話機１０はＩＰアドレスを呼制御サーバ１００に送信し、呼制御サーバ１００が通話先の電話機を呼び出す。
【００３９】
一方、番号変換サーバ８０から識別信号が返信されるとステップＳ３３でＹＥＳと判断し、ステップＳ３５において番号変換サーバ８０との接続を解除する。そして、ステップＳ３７では通話先の電話番号に基づいて通話先を呼び出す。このとき、ＩＰ電話機１０は通話先の電話番号を呼制御サーバ１００に送信し、呼制御サーバ１００が通話先の電話機を呼び出す。
【００４０】
通話先が呼び出しに応じる(受話器をとってオフフック状態にする)と、図７のステップＳ４１において通話先との接続を確立し、ステップＳ４３において通話処理を行う。通話処理についての詳細な説明は省略する。
【００４１】
通話処理中において通話元および通話先が受話器を置いてオンフック状態にすると通話処理を終了し、ステップＳ４５においてフラグ１がオン状態であるか、つまり、通話先の電話番号が手動によって入力されたかどうかを判断する。
【００４２】
電話帳２０ａを用いて通話先を選択した場合にはステップＳ４５においてＮＯと判断され、ステップＳ６１においてフラグ２がオン状態であるか、つまり、通話先がＩＰ電話機であったかどうかを判断する。
【００４３】
通話先がＩＰ電話機であった場合には、ステップＳ６３において、通話先がＩＰ電話機である旨が電話帳２０ａに登録済みであるかどうかを判断する。ステップＳ６３においてＮＯと判断すると、ステップＳ６５において通話先がＩＰ電話機である旨を電話帳２０ａに登録する。
【００４４】
通話先がＩＰ電話機である旨が既に電話帳２０ａに登録されている場合には、ステップＳ６３においてＮＯと判断してステップＳ６５をスキップする。また、通話先がＩＰ電話機でなかった場合には、ステップＳ６１においてＮＯと判断してステップＳ６３およびステップＳ６５をスキップする。
【００４５】
通話先の電話番号が手動によって入力された場合には、ステップＳ４５においてＹＥＳと判断し、ステップＳ４７では手動で入力されＲＡＭ２２に記憶されている通話先の電話番号が電話帳２０ａに登録済みであるかどうかを判断する。電話番号が電話帳２０ａに登録済みである場合には、ステップＳ６１以降に進み、通話先がＩＰ電話機でありかつＩＰ電話機である旨が未登録であるとき、通話先がＩＰ電話機である旨を示すマーカ１６ｂを電話帳２０ａに登録する。
【００４６】
電話番号が電話帳２０ａに登録されていない場合は、ステップＳ４９において図５に示すようなガイド画面をディスプレイ１６に表示する。図５からわかるようにこのガイド画面には“この電話番号を電話帳に登録しますか？”というメッセージとともに、電話機をかけた通話先の電話番号、“はい”と記述されたボタン５２および“いいえ”と記述されたボタン５４が表示される。十字キー１８ｃ(図３)によって、ボタン５２およびボタン５４のどちらかが選択された状態で “決定”と記述されたボタン１８ｄ(図３)が押されると、かかる選択がステップＳ５１において受け付けられる。
【００４７】
“はい”を選択したときにはステップＳ５５において、“電話帳への項目追加処理”を行う。“電話帳への項目追加処理”では、ユーザはテンキー１８ａおよび十字キー１８ｃを用いて通話先の名称の入力をする。すると電話帳２０ａには新たな項目が追加され、追加された項目に、ＲＡＭ２２に記憶されている通話先の電話番号とユーザによって入力された通話先の名称とを記録する。そして、ステップＳ５７では、フラグ２がオン状態であるかどうか、つまり、通話先がＩＰ電話機であったかどうかを判断してＩＰ電話機であった場合には、ステップＳ５９において電話帳２０ａに新たに登録した通話先の項目にＩＰ電話機である旨を示すマーカ１６ｂを記録する。
【００４８】
ユーザが図５に示したガイド画面で“いいえ”を選択すると、ステップＳ５５以降の処理をスキップして終了する。したがって、通話先の電話番号は電話帳２０ａに登録されない。
【００４９】
以上に説明したように、ＩＰ電話機１０を用いて電話機をかけ、電話機をかけた通話先がＩＰ電話機である場合には、ＩＰ電話機である旨が電話帳２０ａに登録される。そして、次回以降に電話をかけるときには、図３に示したように、ディスプレイ１６に表示される電話帳２０ａには、通話先の名称および電話番号の前にＩＰ電話機である旨を示すマーカ１６ｂが記される。したがって、ＩＰ電話機１０のユーザは電話をかける前に通話先がＩＰ電話機であるかどうかがわかり、電話機料金を考慮して手短に用件を話そうとか、料金が無料，格安または話し放題なので長電話をしようとかといった事前の心構えができる。
【００５０】
上述の実施例では、電話機をかけたときに通話先がＩＰ電話機であるか否かがわかる構成としたが、電話機を受けたときに通話元がＩＰ電話機であるか否かを識別して電話帳２０ａに登録するようにしてもよい。
【図面の簡単な説明】
【００５１】
【図１】この発明の一実施例の全体構成を示す図解図である。
【図２】この発明のＩＰ電話機の構成図を示すブロック図である。
【図３】この発明のＩＰ電話機の外観を示す図解図である。
【図４】番号変換サーバの概略構成を示すブロック図である。
【図５】ディスプレイの表示の一例を示す図解図である。
【図６】この発明のＩＰ電話機のＣＰＵの動作を示すフロー図である。
【図７】図５に続くフロー図である。
【符号の説明】
【００５２】
１０  …ＩＰ電話機
１２  …ＣＰＵ
１４  …ＤＳＰ
１６  …ディスプレイ
１８  …キーパッド
８０  …番号変換サーバ
【図１】
2005073181.tif 000003
【図２】
2005073181.tif 000004
【図３】
2005073181.tif 000005
【図４】
2005073181.tif 000006
【図５】
2005073181.tif 000007
【図６】
2005073181.tif 000008
【図７】
2005073181.tif 000009